(57)【要約】【課題】新たな機構が追加されることなく、ユーザの作業時間を低減しながら紙幣の表裏および向きの両方を揃えられた紙幣束を作ることが可能な現金処理装置を提供する。【解決手段】投入口を通じて投入される紙幣の被投入態様を判定する鑑別部と、前記鑑別部によって第１の被投入態様と異なると判定された紙幣が集積される第１の集積部と、投入された紙幣に対する処理の終了から前記第１の被投入態様と異なると判定された紙幣が前記投入口に再投入されるまでの間、前記処理に係る装置に前記処理を継続させる制御部と、を備える、現金処理装置。【選択図】図１
2016122313.tif 000002
【特許請求の範囲】
【請求項１】
投入口を通じて投入される紙幣の被投入態様を判定する鑑別部と、
前記鑑別部によって第１の被投入態様と異なると判定された紙幣が集積される第１の集積部と、
投入された紙幣に対する処理の終了から前記第１の被投入態様と異なると判定された紙幣が前記投入口に再投入されるまでの間、前記処理に係る装置に前記処理を継続させる制御部と、
を備える、現金処理装置。
【請求項２】
前記制御部は、前記処理の終了から所定の時間が経過するまでの間、前記処理に係る装置に前記処理を継続させる、請求項１に記載の現金処理装置。
【請求項３】
前記処理は、前記投入口に投入される紙幣の取込み処理を含む、請求項２に記載の現金処理装置。
【請求項４】
前記鑑別部によって前記第１の被投入態様であると判定された紙幣が集積される第２の集積部と、
前記第２の集積部に集積される紙幣を施封する施封部と、
をさらに備え、
前記処理は、前記施封部による紙幣の施封処理を含む、請求項３に記載の現金処理装置。
【請求項５】
前記投入口に投入される紙幣を取込む紙幣受入部をさらに備え、
前記紙幣受入部は、ユーザの動作開始指示操作に基づいて、前記投入口を通じて再投入される紙幣の取込みを開始する、請求項１〜４のいずれか１項に記載の現金処理装置。
【請求項６】
前記第２の集積部に集積される紙幣のうち、第２の被投入態様である紙幣を紙幣の所定の一辺を軸に反転させる反転部をさらに備え、
前記施封部は、前記反転部によって反転された紙幣および反転されていない紙幣を施封する、請求項４に記載の現金処理装置。
【請求項７】
再投入される紙幣のあるべき被投入態様をユーザに示す提示部をさらに備える、請求項１〜６のいずれか１項に記載の現金処理装置。
【請求項８】
前記提示部は、再投入される紙幣のあるべき被投入態様を示す画像を表示する表示部を含む、請求項７に記載の現金処理装置。
【発明の詳細な説明】
【技術分野】
【０００１】
本発明は、現金処理装置に関する。
【背景技術】
【０００２】
近年、現金の入出金および保管を行う現金処理装置が、商品の販売またはサービスの提供を行う店舗等に設置されるようになってきている。一例として、投入された複数の紙幣を施封し、施封された紙幣（以下、紙幣束とも称する。）を収納する現金処理装置がある。さらに、このような現金処理装置は、紙幣の向きおよび表裏を揃える機構を有し得る。
【０００３】
例えば、特許文献１では、紙幣の表裏反転を行う表裏反転部を備え、当該表裏反転部によって表裏が揃えられた紙幣を施封する現金処理装置が開示されている。
【先行技術文献】
【特許文献】
【０００４】
【特許文献１】特開２０１３−４５２４０号公報
【発明の概要】
【発明が解決しようとする課題】
【０００５】
ここで、特許文献１で開示される現金処理装置では、紙幣の表裏は揃えられるが、紙幣の向きを揃えることが困難である場合がある。そのため、当該現金処理装置では、所定の向きと異なる紙幣をオープンポケットに排出する機構を備える。この場合、ユーザがオープンポケットに排出された紙幣の向きを揃えて、当該紙幣を装置に再投入する作業を行うことにより、紙幣の表裏および向きが揃えられた紙幣束が作られる。しかし、紙幣の再投入は、装置の動作が停止するまで行うことが困難であり、ユーザはその間待機することになる。その結果、ユーザの作業時間が増加し得る。
【０００６】
他方で、紙幣の表裏および向きの両方を自動的に揃える現金処理装置は別途に追加機構を備えることになるため、現金処理装置が大型化するという問題があった。
【０００７】
そこで、本発明は、上記問題に鑑みてなされたものであり、本発明の目的とするところは、新たな機構が追加されることなく、ユーザの作業時間を低減しながら紙幣の表裏および向きの両方を揃えられた紙幣束を作ることが可能な、新規かつ改良された現金処理装置を提供することにある。
【課題を解決するための手段】
【０００８】
上記課題を解決するために、本発明のある観点によれば、投入口を通じて投入される紙幣の被投入態様を判定する鑑別部と、前記鑑別部によって第１の被投入態様と異なると判定された紙幣が集積される第１の集積部と、投入された紙幣に対する処理の終了から前記第１の被投入態様と異なると判定された紙幣が前記投入口に再投入されるまでの間、前記処理に係る装置に前記処理を継続させる制御部と、を備える、現金処理装置が提供される。
【０００９】
また、前記制御部は、前記処理の終了から所定の時間が経過するまでの間、前記処理に係る装置に前記処理を継続させてもよい。
【００１０】
また、前記処理は、前記投入口に投入される紙幣の取込み処理を含んでもよい。
【００１１】
また、前記鑑別部によって前記第１の被投入態様であると判定された紙幣が集積される第２の集積部と、前記第２の集積部に集積される紙幣を施封する施封部と、をさらに備え、前記処理は、前記施封部による紙幣の施封処理を含んでもよい。
【００１２】
また、前記投入口に投入される紙幣を取込む紙幣受入部をさらに備え、前記紙幣受入部は、ユーザの動作開始指示操作に基づいて、前記投入口を通じて再投入される紙幣の取込みを開始してもよい。
【００１３】
また、前記第２の集積部に集積される紙幣のうち、第２の被投入態様である紙幣を紙幣の所定の一辺を軸に反転させる反転部をさらに備え、前記施封部は、前記反転部によって反転された紙幣および反転されていない紙幣を施封してもよい。
【００１４】
また、再投入される紙幣のあるべき被投入態様をユーザに示す提示部をさらに備えてもよい。
【００１５】
また、前記提示部は、再投入される紙幣のあるべき被投入態様を示す画像を表示する表示部を含んでもよい。
【発明の効果】
【００１６】
以上説明したように本発明によれば、新たな機構が追加されることなく、ユーザの作業時間を低減しながら紙幣の表裏および向きの両方を揃えられた紙幣束を作ることが可能な現金処理装置が提供される。
【図面の簡単な説明】
【００１７】
【図１】本発明の一実施形態に係る現金処理装置の概略的な構成例を示す図である。
【図２Ａ】施封前における紙幣の状態の例を示す図である。
【図２Ｂ】施封後における紙幣の状態の例を示す図である。
【図３】本発明の一実施形態に係る現金処理装置の表示部が表示する画像の例を示す図である。
【図４】本実施形態に係る現金処理装置の動作における紙幣の状態の遷移についての例を示す図である。
【図５】本実施形態に係る現金処理装置の動作における紙幣の状態の遷移についての他の例を示す図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．従来の現金処理装置の課題＞
まず、従来の現金処理装置の課題について説明する。
【００２０】
従来の現金処理装置は、紙幣取込み機構、紙幣反転機構、紙幣集積機構および施封機構を有する。具体的には、紙幣取込み機構は、紙幣の投入を受け付け、投入される紙幣の鑑別等を行う。また、紙幣反転機構は、鑑別により反転すべきと判定された紙幣の向きまたは表裏を反転させる。また、紙幣集積機構は、鑑別または反転後の紙幣を集積する。そして、施封機構は、紙幣集積機構に集積された複数の紙幣を施封し、紙幣束を作る。
【００２１】
ここで、紙幣の向きまたは表裏の一方のみの反転を行う現金処理装置では、紙幣の向きおよび表裏の両方を揃えることが困難である場合がある。他方で、紙幣の表裏および向きの両方を自動的に揃えるための機構が現金処理装置に追加される場合、現金処理装置が大型化するという問題があった。
【００２２】
そのため、紙幣の向きまたは表裏の一方のみの反転を行う従来の現金処理装置の中には、紙幣反転機構の反転によっても紙幣が目的の状態、すなわち表裏および向きにならない場合、別途備えられる第２の紙幣集積機構に当該紙幣を排出し、ユーザに紙幣の反転を行わせる現金処理装置がある。当該現金処理装置によれば、目的の状態である紙幣を施封することが可能となる。
【００２３】
しかし、従来の現金処理装置では、装置の動作が終了した後でなければ、ユーザは、第２の紙幣集積機構に集積された紙幣を取り出すことが困難であった。そのため、ユーザは、現金処理装置を再度起動させ、反転させた紙幣を現金処理装置に取り込ませていた。その結果、ユーザの作業時間が長期化するといった問題があった。また、第２の紙幣集積機構に集積された紙幣の反転のさせ方が不明なユーザによって、誤った状態で当該紙幣が現金処理装置に再投入される場合があった。
【００２４】
そこで、本発明では、新たな機構が追加されることなく、ユーザの作業時間を低減しながら紙幣の表裏および向きの両方を揃えられた紙幣束を作ることが可能な現金処理装置を提供する。以下、本発明の各実施形態に係る現金処理装置について詳細に説明する。
【００２５】
＜２．本発明の一実施形態＞
以上、従来の現金処理装置の課題について説明した。続いて、本発明の一実施形態に係る現金処理装置１００について説明する。
【００２６】
＜２−１．装置の構成＞
まず、図１を参照して、本発明の一実施形態に係る現金処理装置１００の構成について説明する。図１は、本発明の一実施形態に係る現金処理装置１００の概略的な構成の例を示す図である。
【００２７】
（現金処理装置１００の構成）
現金処理装置１００は、図１に示したように、紙幣受入部１０２、搬送路１０４、紙幣鑑別部１０６、ブレード１０８、オープンポケット１１０、紙幣返却部１１２、表裏反転部１１４、集積部１１６、ハンド部１１８、施封部１２０、ベルト１２２、放出口１２４、制御部１２６、記憶部１２８および表示部１３０を備える。
【００２８】
紙幣受入部１０２は、紙幣を現金処理装置１００に取り込む。具体的には、紙幣受入部１０２は、投入口、収納部および繰り出し部で構成され、投入口から紙幣が投入され、投入される紙幣が収納部に収納される。そして、収納部に収納される紙幣は、繰り出し部によって搬送路１０４に繰り出される。例えば、繰り出し部は、収納部の空間に一部が突出するビルプレスおよび繰り出しローラを備え、収納部に収納される紙幣をビルプレスが繰り出しローラに押圧し、繰り出しローラが回転されることによって、押圧される紙幣が搬送路に繰り出される。
【００２９】
搬送路１０４は、現金処理装置１００に取り込まれた紙幣を搬送する。具体的には、搬送路１０４は、紙幣受入部１０２によって取り込まれた紙幣をオープンポケット１１０または集積部１１６等に搬送する。なお、搬送路１０４には、紙幣を検知するセンサ（以下、紙幣検知センサとも称する。）が設けられてもよく、当該紙幣検知センサは、紙幣の有無の検知のほか、紙幣の重送およびジャム等の搬送エラーを検知し得る。
【００３０】
紙幣鑑別部１０６は、現金処理装置１００に取り込まれた紙幣の鑑別を行う。具体的には、紙幣鑑別部１０６は、紙幣受入部１０２によって取り込まれ、搬送路１０４によって搬送されてくる紙幣の金種、真偽、汚損および被投入態様等を鑑別する。また、紙幣鑑別部１０６は、搬送される紙幣の計数を行う。より具体的には、紙幣鑑別部１０６は、取り込まれた紙幣の被投入態様が第１の被投入態様であるかを判定する。例えば、紙幣鑑別部１０６は、紙幣が、表でかつ紙幣の肖像が正しい向きである状態（以下、正状態とも称する。）であるか、または当該紙幣が表裏反転されると正状態となる状態（以下、準正状態とも称する。）であるかを判定する。
【００３１】
ブレード１０８は、紙幣の搬送先を誘導する。具体的には、ブレード１０８は、搬送路１０４の分岐点に設けられ、紙幣の搬送先を切り替える。例えば、ブレード１０８は、図１に示したように、搬送路１０４の各分岐点に設けられ、後述する制御部１２６の指示に基づいて紙幣の搬送先を切り替える。例えば、紙幣の搬送先は、紙幣鑑別部１０６の鑑別結果に基づいて切り替えられ得る。
【００３２】
オープンポケット１１０は、第１の集積部として、鑑別後の紙幣を集積する。具体的には、オープンポケット１１０は、紙幣鑑別部１０６によって第１の被投入状態と判定された紙幣を集積する。例えば、オープンポケット１１０は、現金処理装置１００の外部と接する位置に複数設けられ、オープンポケット１１０に集積される紙幣はユーザに取り出される。また、オープンポケット１１０には、紙幣鑑別部１０６によって、例えば正状態および準正状態のうちのいずれの状態とも異なると判定された紙幣が搬送路１０４によって搬送され、集積される。例えば、正状態および準正状態のうちのいずれの状態とも異なる紙幣は、紙幣鑑別部１０６から排出された後、ブレード１０８によってオープンポケット１１０に続く搬送路１０４に誘導される。
【００３３】
なお、オープンポケット１１０は、集積処理中においては施錠され得る。また、あるオープンポケット１１０が集積処理中である場合、他のオープンポケット１１０は解錠され、集積された紙幣をユーザが取り出し可能であり得る。また、図１では、オープンポケット１１０は２つ設けられる例を示したが、オープンポケット１１０は３つ以上設けられてもよい。
【００３４】
紙幣返却部１１２は、返却対象と判定された紙幣が集積される。具体的には、紙幣返却部１１２は、紙幣鑑別部１０６によって偽札、汚損または金種不明と判定された紙幣を集積する。例えば、返却対象の紙幣は、紙幣鑑別部１０６から排出された後、ブレード１０８によって紙幣返却部１１２に続く搬送路１０４に誘導され、紙幣返却部１１２に集積される。なお、紙幣返却部１１２には、搬送路１０４上の紙幣検知センサによって搬送エラーが検知される場合に、当該搬送エラーに係る紙幣が集積されてもよい。
【００３５】
表裏反転部１１４は、搬送される紙幣を反転させる。具体的には、表裏反転部１１４は、紙幣鑑別部１０６によって第１の被投入状態と判定された紙幣のうち、第２の被投入状態と判定された紙幣を紙幣の所定の一辺を軸に反転させる。例えば、正状態または準正状態であると判定された紙幣は、図１に示したような、ブレード１０８によってオープンポケット１１０へと続く搬送路１０４と異なる搬送路１０４へ誘導される。そして、当該紙幣のうちの準正状態であると判定された紙幣は、ブレード１０８によって表裏反転部１１４に続く搬送路１０４に誘導される。表裏反転部１１４は、誘導される紙幣を引き込み、引き込み方向と反対方向に当該紙幣を繰り出すことによって、当該紙幣の表裏を反転させる。なお、紙幣鑑別部１０６によって正状態であると判定された紙幣は、表裏反転されることなく、集積部１１６に向けて搬送される。
【００３６】
集積部１１６は、第２の集積部として、鑑別後の紙幣を集積する。具体的には、集積部１１６は、紙幣鑑別部１０６によって第１の被投入状態と判定された紙幣を集積する。例えば、図１に示したように集積部１１６は複数設けられ、各集積部１１６には正状態と判定された紙幣または準正状態と判定され表裏反転された紙幣が金種別に集積される。なお、図１では、集積部１１６が５つ設けられる例を示したが、集積部１１６は４つ以下または６つ以上設けられてもよい。
【００３７】
ハンド部１１８は、紙幣の移送を行う。具体的には、ハンド部１１８は、集積部１１６に集積される紙幣を施封部１２０に移動させる。例えば、ハンド部１１８は、垂直方向および水平方向に移動し、紙幣を挟持する１組の可動板を備える。ハンド部１１８は、移送させる紙幣が集積される集積部１１６まで移動し、１組の可動板が紙幣を挟持することによって当該集積部１１６から紙幣を取り出す。そして、ハンド部１１８は、施封部１２０まで移動し、紙幣を挟持する可動板の各々の間隔を広げることによって紙幣を施封部１２０に受け渡す。
【００３８】
施封部１２０は、複数の紙幣を施封し、施封により得られる紙幣束を現金処理装置１００の外部に放出する。具体的には、施封部１２０は、ハンド部１１８から受け渡される複数の紙幣を施封用の帯、例えば紙テープ等を用いて施封し、紙幣束を作る。ここで、図２Ａおよび図２Ｂを参照して施封される紙幣について説明する。図２Ａは、施封前における紙幣の状態の例を示す図であり、図２Ｂは、施封後における紙幣の状態の例を示す図である。
【００３９】
まず、集積部１１６には、正状態の紙幣が集積される。例えば、紙幣に描かれる肖像が図２Ａに示したような位置となるように、集積部１１６には紙幣が集積される。そして、施封部１２０において、複数の正状態の紙幣が施封される。例えば、図２Ｂに示したように、所定の枚数の紙幣が紙テープ等の帯によって結束される。
【００４０】
また、施封部１２０は、１組のベルト１２２および放出口１２４を備え、当該ベルト１２２を用いて紙幣束を現金処理装置１００の外部に放出口１２４を通じて放出する。例えば、施封部１２０は、図１に示したように、放出口１２４に向かって延長される一対のベルト１２２Ａおよび１２２Ｂ、ならびに現金処理装置１００の外部と施封部１２０とを連通する放出口１２４を備える。そして、当該ベルト１２２Ａおよび１２２Ｂの間に紙幣束が挟持され、各ベルト１２２Ａおよび１２２Ｂが回転されることによって、挟持される紙幣束が放出口１２４に向かって搬送され、当該紙幣束は放出口１２４を通じて現金処理装置１００の外部に放出される。
【００４１】
制御部１２６は、現金処理装置１００の動作を全体的に制御する。具体的には、制御部１２６は、上述の現金処理装置１００の各構成について、動作の開始および停止ならびに動作内容の変更等を指示する。例えば、制御部１２６は、紙幣鑑別部１０６の処理結果に基づくブレード１０８への搬送先切り替え指示、ハンド部１１８への移送紙幣の変更指示および表示部１３０への画像の表示指示等を行い得る。なお、制御部１２６は、ＣＰＵ（Central  Processing  Unit）等の処理装置であり得て、当該ＣＰＵが記憶部１２８に格納される命令を実行すること等によって現金処理装置１００の各装置への動作指示が行われる。
【００４２】
また、制御部１２６は、投入された紙幣に対する処理（以下、紙幣処理とも称する。）の終了から第１の被投入態様と異なると判定された紙幣が投入口に再投入されるまでの間、当該紙幣処理に係る装置に処理を継続させる。具体的には、制御部１２６は、紙幣処理の終了から所定の時間が経過するまでの間、当該紙幣処理に係る装置に処理を継続させる。例えば、制御部１２６は、紙幣受入部１０２の投入口に投入される紙幣の取込み処理の終了から所定の時間が経過するまでの間、現金処理装置１００の各装置を稼働させる。なお、所定の時間は、予め決定されてもよく、設定により変更されてもよい。
【００４３】
また、制御部１２６は、表示部１３０に、再投入される紙幣のあるべき被投入態様をユーザに示させる。具体的には、制御部１２６は、表示部１３０に、再投入される紙幣のあるべき被投入態様を示す画像を表示させる。さらに、図３を参照して、表示部１３０の表示する画像について説明する。図３は、本実施形態に係る現金処理装置１００の表示部１３０が表示する画像の例を示す図である。
【００４４】
制御部１２６は、再投入される紙幣のあるべき被投入態様を示す画像を記憶部１２８から取得し、表示部１３０に当該画像を表示させる。例えば、表示部１３０は、図３に示したような画像２０を表示する。当該画像２０には、ユーザが行うべき行動、例えばオープンポケット１１０に集積された紙幣の再投入を促すメッセージが表示され得る。また、当該メッセージには、再投入される紙幣の投入方法の記載が含まれ得る。さらに、当該画像２０には、オープンポケット１１０に集積された紙幣の状態と再投入される紙幣のあるべき状態と示す画像が含まれ得る。例えば、図３に示したように、当該画像２０には、正状態または準正状態と異なる状態の紙幣を示す画像がオープンポケットにおける状態として表示され、正状態または準正状態である紙幣を示す画像が再投入時の状態として表示され得る。
【００４５】
記憶部１２８は、現金処理装置１００の制御に係るデータ等を格納する。具体的には、記憶部１２８は、制御部１２６に接続され、制御部１２６の処理で用いられるデータまたは制御部１２６から送られるデータを格納する。例えば、記憶部１２８は、ＲＯＭ（Read  Only  Memory）およびＲＡＭ（Random  Access  Memory）等の記憶装置であり、制御部１２６の制御プログラム、処理結果および表示部１３０に表示させるデータ、例えば画像等を格納する。
【００４６】
表示部１３０は、提示部として、ユーザに示す画像を表示する。具体的には、表示部１３０は、記憶部１２８に格納される画像を表示する。例えば、表示部１３０は、図１に示したように現金処理装置１００の筐体の上面に設けられ、液晶ディスプレイまたは有機ＥＬ（Electro-Luminescence）ディスプレイ等の表示装置であり得る。なお、表示部１３０は、ユーザによって操作される操作部であってもよい。具体的には、表示部１３０は、押圧方式または静電容量方式のタッチパネルであり、ユーザの入力を受け付ける。例えば、表示部１３０は、ユーザに操作を促す操作案内画面および現金処理装置１００の各処理の選択キー等が配置される処理選択画面等を表示し、ユーザ操作によって入力された内容を制御部１２６に伝達する。
【００４７】
＜２−２．装置の動作＞
次に、図４および図５を参照して、本実施形態に係る現金処理装置１００の動作について説明する。
【００４８】
（正状態または準正状態である紙幣についての動作）
まず、図４を参照して、投入される紙幣が第１の被投入態様すなわち正状態または準正状態である場合の動作について説明する。図４は、本実施形態に係る現金処理装置１００の動作における紙幣の状態変化の例を示す図である。
【００４９】
始めに、現金処理装置１００は、投入される紙幣を取り込む。具体的には、ユーザは、紙幣受入部１０２に施封する紙幣を投入する。そして、ユーザは、表示部１３０に対して投入する紙幣の金種等の決定操作、ならびに計数および施封処理の開始操作を行う。計数および施封の処理の開始操作が表示部１３０に対して行われると、制御部１２６は、現金処理装置１００の各装置の動作を開始させる。これにより、紙幣受入部１０２の紙幣取込み処理が開始され、紙幣受入部１０２に収納されている紙幣が現金処理装置１００に取り込まれ、紙幣鑑別部１０６に搬送される。
【００５０】
次に、現金処理装置１００は、取り込まれた紙幣を鑑別する。具体的には、紙幣鑑別部１０６は、紙幣受入部１０２によって取り込まれ、搬送路１０４によって搬送されてくる紙幣の金種および被投入態様等の鑑別を行う。そして、紙幣鑑別部１０６は、当該鑑別の結果を制御部１２６に伝達し、鑑別後の紙幣を搬送路１０４に排出する。例えば、紙幣鑑別部１０６に搬送され、紙幣鑑別部１０６から排出される紙幣は、図４に示したような正状態の紙幣１０Ａまたは準正状態の紙幣１０Ｂのいずれかである。
【００５１】
次に、現金処理装置１００は、鑑別結果に応じて紙幣を表裏反転させる。具体的には、紙幣鑑別部１０６から排出される紙幣は、紙幣鑑別部１０６によって正状態または準正状態であると判定されるため、オープンポケット１１０には搬送されず、集積部１１６に向けて搬送される。なお、紙幣が偽札である場合または紙幣の汚損が認識される場合は、当該紙幣は、紙幣返却部１１２に搬送され得る。さらに、集積部１１６に向けて搬送される紙幣のうち、紙幣鑑別部１０６によって準正状態であると判定された紙幣は、制御部１２６の指示により動作するブレード１０８によって表裏反転部１１４に誘導され、表裏反転部１１４によって表裏が反転される。例えば、準正状態であった紙幣１０Ｂは、表裏反転部１１４によって表裏反転され、図４に示したように、紙幣１０Ａと同じ正状態になる。
【００５２】
次に、現金処理装置１００は、紙幣を集積する。具体的には、表裏反転された紙幣および表裏反転されなかった紙幣のいずれの紙幣も、集積部１１６に集積される。例えば、準正状態である紙幣は表裏反転され、正状態である紙幣は表裏反転されずに、集積部１１６に集積される。その結果、集積部１１６に集積される紙幣１０Ａおよび１０Ｂは、図４に示したようにいずれも正状態である。
【００５３】
次に、現金処理装置１００は、集積される紙幣を施封する。具体的には、集積部１１６に集積された紙幣は、ハンド部１１８によって紙幣の状態が維持されたまま施封部１２０に移送され、施封部１２０によって施封される。例えば、施封部１２０に移送される紙幣１０Ａおよび１０Ｂは、図４に示したように、肖像に帯が重ならないように結束され、紙幣束１０となる。
【００５４】
（正状態または準正状態と異なる状態である紙幣についての動作）
続いて、図５を参照して、投入される紙幣が第１の被投入態様すなわち正状態または準正状態と異なる状態である場合の動作について説明する。図５は、本実施形態に係る現金処理装置１００の動作における紙幣の状態変化の他の例を示す図である。なお、正状態または準正状態である紙幣についての動作と実質的に同一である動作については説明を省略する。
【００５５】
始めに、現金処理装置１００は、投入される紙幣を取り込む。
【００５６】
次に、現金処理装置１００は、取り込まれた紙幣を鑑別する。例えば、紙幣鑑別部１０６に搬送され、紙幣鑑別部１０６から排出される紙幣は、図５に示したような正状態の紙幣が紙幣の短辺を軸に反転された状態（以下、逆状態とも称する。）の紙幣１０Ａまたは逆状態の紙幣が紙幣の長辺を軸に反転された状態（以下、準逆状態とも称する。）の紙幣１０Ｂのいずれかである。
【００５７】
次に、現金処理装置１００は、鑑別後の紙幣を集積する。具体的には、紙幣鑑別部１０６から排出される紙幣は、紙幣鑑別部１０６によって逆状態または準逆状態であると判定されるため、オープンポケット１１０に搬送され、集積される。例えば、オープンポケット１１０に集積される紙幣は、図５に示したような逆状態の紙幣１０Ａまたは準逆状態の紙幣１０Ｂであり得る。なお、搬送される紙幣は、まず、同一のオープンポケット１１０に集積され続け、オープンポケット１１０に集積される紙幣の数量が収納可能な数量に達すると、制御部１２６の指示によって動作するブレード１０８によって他のオープンポケット１１０に紙幣の集積先が変更される。例えば、最初に集積が行われるオープンポケット１１０は、装置を操作するユーザの手前すなわち図１に示されるＹ軸方向と反対方向に設けられるオープンポケット１１０であり得る。
【００５８】
投入される紙幣に対する処理が終了すると、現金処理装置１００は、当該処理の終了から所定の時間が経過するまでの間、当該処理を継続する。具体的には、制御部１２６は、紙幣受入部１０２の投入口に投入される紙幣の取込み処理の終了から所定の時間が経過するまでの間、現金処理装置１００の各装置を稼働させる。例えば、制御部１２６は、紙幣受入部１０２の収納部から紙幣が繰り出され、収納部が空になってから所定の時間が経過するまでの間、搬送路１０４、紙幣鑑別部１０６、ブレード１０８、表裏反転部１１４、ハンド部１１８および施封部１２０等に係る装置の動作を継続させる。
【００５９】
また、投入される紙幣に対する処理が終了すると、現金処理装置１００は、再投入される紙幣のあるべき被投入態様をユーザに示す。具体的には、紙幣受入部１０２の投入口に投入される紙幣の取込み処理が終了すると、制御部１２６は、紙幣受入部１０２に再投入される紙幣の投入方法を示す画像を記憶部１２８から取得し、取得される画像を表示部１３０に表示させる。例えば、図３に示したような、ユーザに、逆状態または準逆状態である紙幣を正状態または準正状態に反転させるように促す画像が表示部１３０に表示され得る。なお、当該画像の表示は、投入される紙幣に対する処理の終了前に表示されもよい。
【００６０】
次に、現金処理装置１００は、再投入される紙幣を取り込む。具体的には、ユーザは、オープンポケット１１０に集積された紙幣を取り出し、表示部１３０に表示される再投入の方法に従って当該紙幣を紙幣受入部１０２に投入する。そして、紙幣受入部１０２は、再投入される紙幣を現金処理装置１００に取り込む。例えば、再投入される紙幣は、図５に示したような、正状態に反転された紙幣１０Ａまたは準正状態に反転された紙幣１０Ｂであり得る。なお、再投入される紙幣は、全て正状態であってもよく、または全て準正状態であってもよい。
【００６１】
そして、現金処理装置１００は、再投入された紙幣について、搬送、鑑別、集積および施封等の処理を行う。具体的には、正状態または準正状態である紙幣についての動作と実質的に同一である動作を行う。
【００６２】
このように、本発明の一実施形態によれば、現金処理装置１００は、投入口を通じて投入される紙幣の被投入態様を判定し、第１の被投入態様と異なると判定された紙幣を集積する。そして、現金処理装置１００は、投入された紙幣に対する処理の終了から第１の被投入態様と異なると判定された紙幣が投入口に再投入されるまでの間、上記の処理に係る装置に処理を継続させる。このため、紙幣の向きまたは表裏のいずれか一方のみ揃える現金処理装置において、紙幣の再投入の際に装置が停止されないことにより、装置の再稼働にかかる待ち時間が削減される。その結果、新たな機構が追加されることなく、ユーザの作業時間を低減しながら紙幣の表裏および向きの両方を揃えられた紙幣束を作ることが可能となる。
【００６３】
また、現金処理装置１００は、上記の処理の終了から所定の時間が経過するまでの間、当該処理に係る装置に処理を継続させる。このため、所定の時間のみ当該処理に係る装置の処理が継続されることにより、ユーザが再投入を行わない場合に自動的に装置が停止されることにより、ユーザの利便性を向上させ、また電力の浪費を防止することが可能となる。
【００６４】
また、上記の処理は、投入口に投入される紙幣の取込み処理を含む。このため、現金処理装置１００の処理のうち他の処理よりも先に行われる紙幣の取込み処理の終了が所定の時間経過の起算となる。これにより、他の処理の終了が起算となる場合よりも現金処理装置１００の再投入のための稼働時間が短縮され、電力消費量を低減することが可能となる。
【００６５】
また、現金処理装置１００は、集積部１１６に集積される紙幣のうち、第２の被投入態様である紙幣を紙幣の所定の一辺を軸に反転させ、反転された紙幣および反転されていない紙幣を施封する。このため、紙幣の向きおよび表裏が揃えられた紙幣のみが施封されることにより、紙幣束を構成する紙幣の全てについて紙幣の向きおよび表裏を揃えることが可能となる。
【００６６】
また、現金処理装置１００は、再投入される紙幣のあるべき被投入態様をユーザに示す提示部を備える。このため、再投入の方法をユーザに伝えることにより、再投入される紙幣が誤った態様で投入される可能性を低下させることが可能となる。
【００６７】
また、上記の提示部は、再投入される紙幣のあるべき被投入態様を示す画像を表示する表示部を含む。このため、紙幣の再投入の方法が視覚的に示されることにより、再投入の方法をユーザに理解させ、誤った態様で紙幣が再投入される可能性をさらに低下させることが可能となる。
【００６８】
＜２−３．変形例＞
以上、本発明の一実施形態について説明した。なお、本実施形態は、上述の例に限定されない。以下に、本実施形態の第１および第２の変形例について説明する。
【００６９】
（第１の変形例）
本実施形態の第１の変形例として、現金処理装置１００は、紙幣の取込み処理と異なる他の処理の終了から所定の時間経過するまでの間、紙幣処理に係る装置の処理を継続させてもよい。具体的には、当該他の処理には、施封部１２０による紙幣の施封処理が含まれる。
【００７０】
例えば、制御部１２６は、まず、施封部１２０の処理が終了したかを判定する。具体的には、制御部１２６は、放出口１２４を通じた紙幣束の放出から所定の時間が経過したかを判定する。なお、紙幣束の放出は、施封部１２０または放出口１２４に備えられるセンサ等によって検出され得る。紙幣束の放出から所定の時間が経過したと判定される場合、制御部１２６は、施封部１２０の処理が終了したと判定する。
【００７１】
施封部１２０の処理が終了したと判定される場合、制御部１２６は、当該判定からさらに所定の時間が経過したかを判定する。
【００７２】
施封部１２０の処理が終了したと判定されてから所定の時間が経過したと判定される場合、制御部１２６は、現金処理装置１００の各装置の動作を停止させる。
【００７３】
このように、本実施形態の第１の変形例によれば、現金処理装置１００は、施封部１２０による紙幣の施封処理の終了から所定の時間経過するまでの間、現金処理装置１００の各装置の動作を継続させる。このため、他の処理よりも遅く終了する処理の終了が所定の時間の経過判断についての起算にされることにより、現金処理装置１００の稼働継続時間が他の処理の終了が起算にされる場合よりも延長される。これにより、ユーザによる紙幣の再投入が装置の稼働継続時間中に行われず装置が停止され、ユーザの作業時間が長期化することを抑制することが可能となる。
【００７４】
（第２の変形例）
本実施形態の第２の変形例として、現金処理装置１００は、ユーザ操作に基づいて、再投入される紙幣の取込みを行ってもよい。具体的には、紙幣受入部１０２は、ユーザ操作に基づいて、投入口を通じて再投入される紙幣の取込みを開始する。
【００７５】
例えば、制御部１２６は、まず、紙幣受入部１０２による紙幣の取込み処理が終了してから所定の時間経過するまでの間は、現金処理装置１００の各装置の動作を継続させる。
【００７６】
当該動作継続中の期間において、オープンポケット１１０に集積された紙幣がユーザによって紙幣受入部１０２に投入口を通じて再投入される。
【００７７】
紙幣受入部１０２は、ユーザの取込み指示操作が行われると、再投入される紙幣の取込みを行う。例えば、制御部１２６は、表示部１３０に対するユーザ操作、例えば再投入された紙幣の取込み指示操作が行われると、紙幣受入部１０２に対して、紙幣受入部１０２に収納される紙幣の取込みを開始させる。
【００７８】
このように、本実施形態の第２の変形例によれば、紙幣受入部１０２は、ユーザの動作開始指示操作に基づいて、投入口を通じて再投入される紙幣の取込みを開始する。ここで、紙幣が紙幣受入部１０２に再投入される際に、紙幣を投入するユーザの手から紙幣が離れていない場合、紙幣の取込みと共にユーザの手が引き込まれる可能性がある。しかし、本変形例によれば、ユーザの操作に起因して、再投入される紙幣の取込みが行われるため、ユーザが気づかないうちに手が引き込まれることがなく、現金処理装置１００の安全性を向上させることが可能となる。
【００７９】
＜３．むすび＞
以上、本発明の一実施形態によれば、紙幣の向きまたは表裏のいずれか一方のみ揃える現金処理装置において、紙幣の再投入の際に装置が停止されないことにより、装置の再稼働にかかる待ち時間が削減される。その結果、新たな機構が追加されることなく、ユーザの作業時間を低減しながら紙幣の表裏および向きの両方を揃えられた紙幣束を作ることが可能となる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８１】
例えば、上記実施形態では、現金処理装置１００は表裏反転を行うとしたが、本発明はかかる例に限定されない。例えば、現金処理装置１００は紙幣の向きの反転を行ってもよい。例えば、現金処理装置１００は、搬送される紙幣を紙幣の短辺を軸にして反転させてもよい。
【００８２】
また、上記実施形態では、現金処理装置１００は、再投入される紙幣のあるべき被投入態様を表示する例を説明したが、現金処理装置１００は、当該あるべき被投入態様を音声でユーザに示してもよい。例えば、現金処理装置１００は、別途音声出力部、例えばスピーカ等を備え、制御部１２６は、記憶部１２８に格納される再投入の方法を伝達する音声データを取得し、当該音声出力部に取得される音声データに基づく出力を行わせる。この場合、コストまたは装置の大きさ等を理由として表示部が備えられない場合であっても、ユーザに再投入方法を提示することが可能となる。
【００８３】
また、上記実施形態では、投入される紙幣に対する処理すなわち紙幣処理として、紙幣の取込み処理および施封処理を例示したが、紙幣処理はその他の処理であってもよい。例えば、紙幣処理は、搬送路１０４による紙幣の搬送処理であり、紙幣検出センサによって紙幣が検出されてから所定の時間検出されない場合、制御部１２６は、搬送路１０４の処理が終了したと判定し、次いで当該判定から所定の時間が経過したかを判定する。
【符号の説明】
【００８４】
１００    現金処理装置
１０２    紙幣受入部
１０４    搬送路
１０６    紙幣鑑別部
１０８    ブレード
１１０    オープンポケット
１１２    紙幣返却部
１１４    表裏反転部
１１６    集積部
１１８    ハンド部
１２０    施封部
１２２    ベルト
１２４    放出口
１２６    制御部
１２８    記憶部
１３０    表示部
【図１】
2016122313.tif 000003
【図２Ａ】
2016122313.tif 000004
【図２Ｂ】
2016122313.tif 000005
【図３】
2016122313.tif 000006
【図４】
2016122313.tif 000007
【図５】
2016122313.tif 000008